(57)【要約】【課題】本発明は、タッチパネル方式として赤外線を用いた電子黒板と、赤外線リモコンを用いた別の機器を近くで同時利用しても、電子黒板のタッチパネルと別の機器のリモコンが、赤外線干渉を起こさず正常動作することができる。【解決手段】赤外線を用いて画面への接触の検出を行う接触検出部と、第１赤外線リモコン受信部と、を有する表示装置と、第２赤外線リモコン受信部を有する情報処理装置と、を備え、前記接触検出部から送信された前記赤外線を前記第２赤外線リモコン受信部が受信した場合に、前記表示装置は、前記第１赤外線リモコン受信部で受信した前記情報処理装置のリモコン端末からのリモコン信号を前記情報処理装置へ送信する信号送信部を備える表示システム。【選択図】図２
2020198573.tif 000002
【特許請求の範囲】
【請求項１】
赤外線を用いて画面への接触の検出を行う接触検出部と、第１赤外線リモコン受信部と、を有する表示装置と、
第２赤外線リモコン受信部を有する情報処理装置と、を備え、
前記接触検出部から送信された前記赤外線を前記第２赤外線リモコン受信部が受信した場合に、前記表示装置は、前記第１赤外線リモコン受信部で受信した前記情報処理装置のリモコン端末からのリモコン信号を前記情報処理装置へ送信する信号送信部を備える
表示システム。
【請求項２】
前記情報処理装置は、ビデオ会議端末である
請求項１に記載の表示システム。
【請求項３】
前記信号送信部は、前記接触検出部の赤外線送信部から前記情報処理装置に前記リモコン信号を送信する
請求項１又は請求項２に記載の表示システム。
【請求項４】
前記信号送信部は、前記表示装置と前記情報処理装置との間で接続されたケーブルを介して、前記リモコン信号を前記情報処理装置に送信する
請求項１又は請求項２に記載の表示システム。
【請求項５】
前記情報処理装置は、前記第２赤外線リモコン受信部が前記接触検出部の赤外線送信部からの前記赤外線を受信したこと検出する検出部を備え、
前記情報処理装置は、前記検出部が前記接触検出部の赤外線送信部からの前記赤外線を検出した場合に、前記表示装置に前記接触検出部から送信された前記赤外線を受信したことを通知する
請求項１から請求項４のいずれかに記載の表示システム。
【請求項６】
前記情報処理装置は、前記検出部が前記赤外線を検出した場合に、前記第２赤外線リモコン受信部の前記リモコン端末の信号の受信を停止する
請求項５に記載の表示システム。
【請求項７】
赤外線を用いて画面への接触の検出を行う接触検出部と、第１赤外線リモコン受信部と、を有する表示装置と、第２赤外線リモコン受信部を有する情報処理装置と、を備える表示システムの制御方法であって、
前記接触検出部から送信された前記赤外線を前記第２赤外線リモコン受信部が受信した場合に、前記表示装置が、前記第１赤外線リモコン受信部で受信した前記情報処理装置のリモコン端末からのリモコン信号を前記情報処理装置へ送信する手順と、
前記情報処理装置が、前記表示装置より、前記リモコン信号を受信する手順と、を備える
表示システムの制御方法。
【請求項８】
情報処理装置と同時に使用される表示装置であって、
赤外線を用いて画面への接触の検出を行う接触検出部と、
第１赤外線リモコン受信部と、
前記接触検出部から送信された前記赤外線を前記情報処理装置が備える第２赤外線リモコン受信部が受信した場合に、前記第１赤外線リモコン受信部で受信した前記情報処理装置のリモコン端末からのリモコン信号を前記情報処理装置へ送信する信号送信部を備える
表示装置。
【請求項９】
赤外線を用いて画面への接触の検出を行う接触検出部と、
第１赤外線リモコン受信部と、を備える情報処理装置と同時に使用される表示装置の制御方法であって、
前記接触検出部から送信された前記赤外線を前記情報処理装置が備える第２赤外線リモコン受信部が受信した場合に、前記第１赤外線リモコン受信部で受信した前記情報処理装置のリモコン端末からのリモコン信号を前記情報処理装置へ送信する手順を備える
表示装置の制御方法。
【請求項１０】
赤外線を用いて画面への接触の検出を行う接触検出部と、第１赤外線リモコン受信部と、を備える、情報処理装置と同時に使用される表示装置のコンピュータに、
前記接触検出部から送信された前記赤外線を前記情報処理装置が備える第２赤外線リモコン受信部が受信した場合に、前記第１赤外線リモコン受信部で受信した前記情報処理装置のリモコン端末からのリモコン信号を前記情報処理装置へ送信する手順を実行させる
プログラム。
【請求項１１】
赤外線を用いて画面への接触の検出を行う接触検出部を備える表示装置と同時に使用される情報処理装置であって、
第２赤外線リモコン受信部と、
前記第２赤外線リモコン受信部が前記接触検出部から送信された前記赤外線を受信したこと検出する検出部と、を備え、
前記検出部が前記接触検出部から送信された前記赤外線を検出した場合に、前記表示装置に前記接触検出部から送信された前記赤外線を受信したことを通知する
情報処理装置。
【請求項１２】
赤外線を用いて画面への接触の検出を行う接触検出部を備える表示装置と同時に使用され、
第２赤外線リモコン受信部と、を備える情報処理装置の制御方法であって、
前記第２赤外線リモコン受信部が前記接触検出部から送信された前記赤外線を受信したこと検出する手順と、
前記検出する手順において前記接触検出部から送信された前記赤外線を検出した場合に、前記表示装置に前記接触検出部から送信された前記赤外線を受信したことを通知する手順、を備える
情報処理装置の制御方法。
【請求項１３】
赤外線を用いて画面への接触の検出を行う接触検出部を備える表示装置と同時に使用され、
第２赤外線リモコン受信部を備える情報処理装置のコンピュータに、
前記第２赤外線リモコン受信部が前記接触検出部から送信された前記赤外線を受信したこと検出する手順と、
前記検出する手順において前記接触検出部から送信された前記赤外線を検出した場合に、前記表示装置に前記接触検出部から送信された前記赤外線を受信したことを通知する手順と、を実行させる
プログラム。
【発明の詳細な説明】
【技術分野】
【０００１】
本発明は、表示装置、情報処理装置、表示システムと、その制御方法及びプログラムに関する。
【背景技術】
【０００２】
ディスプレイのタッチパネル実現方式として、赤外線を使ったセンシング方法が知られている。また、機器をリモートで制御する方法として、赤外線リモコンを使った技術が知られている。
【０００３】
従来技術として、赤外線の受光部を備えた電子黒板が開示されている（特許文献１）。
【発明の概要】
【発明が解決しようとする課題】
【０００４】
従来技術のタッチパネル方式として赤外線を用いた電子黒板と、赤外線を用いた別の機器を近くで同時利用すると、電子黒板がタッチパネル用に発する赤外線によって、赤外線を用いた別の機器の赤外線リモコンが動作しない、もしくは非常に動作しにくいという問題があった。このような問題はタッチパネル方式として赤外線を用いた表示装置であれば共通して存在する。
【０００５】
本発明は、タッチパネル方式として赤外線を用いた表示装置と、赤外線リモコンを用いた別の機器を近くで同時利用しても、表示装置のタッチパネルと別の機器のリモコンが、赤外線干渉を起こさず正常動作することを目的とする。
【課題を解決するための手段】
【０００６】
開示の技術は、赤外線を用いて画面への接触の検出を行う接触検出部と、第１赤外線リモコン受信部と、を有する表示装置と、第２赤外線リモコン受信部を有する情報処理装置と、を備え、前記接触検出部から送信された前記赤外線を前記第２赤外線リモコン受信部が受信した場合に、前記表示装置は、前記第１赤外線リモコン受信部で受信した前記情報処理装置のリモコン端末からのリモコン信号を前記情報処理装置へ送信する信号送信部を備える表示システムである。
【発明の効果】
【０００７】
開示の技術によれば、タッチパネル方式として赤外線を用いた表示装置と、赤外線リモコンを用いた別の機器を近くで同時利用しても、表示装置のタッチパネルと別の機器のリモコンが、赤外線干渉を起こさず正常動作することができる。
【図面の簡単な説明】
【０００８】
【図１】本実施形態のビデオ会議システムの全体構成図である。
【図２】本実施形態のビデオ会議システムの電子黒板のハードウエア構成図である。
【図３】本実施形態のビデオ会議システムのビデオ会議端末のハードウエア構成図である。
【図４】本実施形態のビデオ会議システムの機能構成図である。
【図５】本実施形態のビデオ会議システムのビデオ会議端末が受信する赤外線波形を説明する図である。
【図６】本実施形態のビデオ会議システムの電子黒板の動作を説明するフローチャートである。
【図７】本実施形態のビデオ会議システムのビデオ会議端末の動作を説明するフローチャートである。
【図８】本実施形態のビデオ会議システムの電子黒板の動作の変形例を説明するフローチャートである。
【発明を実施するための形態】
【０００９】
以下に図面を参照して本実施形態について説明する。
【００１０】
＜ビデオ会議システム１の全体構成＞
本実施形態の表示システムの一例であるビデオ会議システム１について説明する。
【００１１】
図１は、本実施形態のビデオ会議システム１の全体構成図である。
【００１２】
本実施形態のビデオ会議システム１は、電子黒板２、ビデオ会議端末７を備える。以下に、電子黒板２とビデオ会議端末７について詳細を説明する。
【００１３】
＜各装置のハードウエア構成＞
【００１４】
［電子黒板２］
最初に、本実施形態の表示装置の一例である電子黒板２について説明する。
【００１５】
図２は、本実施形態のビデオ会議システム１の電子黒板２のハードウエア構成図である。図２に示されているように、電子黒板２は、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ＳＳＤ（Ｓｏｌｉｄ  Ｓｔａｔｅ  Ｄｒｉｖｅ）２０４、ネットワークＩ／Ｆ（Ｉｎｔｅｒｆａｃｅ）２０５、及び、外部機器接続Ｉ／Ｆ（Ｉｎｔｅｒｆａｃｅ）２０６を備えている。
【００１６】
これらのうち、ＣＰＵ２０１は、電子黒板２全体の動作を制御する。ＲＯＭ２０２は、ＩＰＬ（Ｉｎｉｔｉａｌ  Ｐｒｏｇｒａｍ  Ｌｏａｄｅｒ）等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。ネットワークＩ／Ｆ２０５は、通信ネットワーク１００との通信を制御する。外部機器接続Ｉ／Ｆ２０６は、各種の外部機器を接続するためのインターフェースである。この場合の外部機器は、例えば、ＵＳＢ（Ｕｎｉｖｅｒｓａｌ  Ｓｅｒｉａｌ  Ｂｕｓ）メモリ２３０、外付け機器（マイク２４０、スピーカ２５０、カメラ２６０）等である。
【００１７】
また、電子黒板２は、キャプチャデバイス２１１、ＧＰＵ（Ｇｒａｐｈｉｃｓ  Ｐｒｏｃｅｓｓｉｎｇ  Ｕｎｉｔ）２１２、ディスプレイコントローラ２１３、接触センサ２１４、センサコントローラ２１５、電子ペンコントローラ２１６、近距離通信回路２１９、及び近距離通信回路２１９のアンテナ２１９ａ、電源スイッチ２２２、選択スイッチ類２２３及び赤外線リモコン受信回路２２５を備えている。
【００１８】
これらのうち、キャプチャデバイス２１１は、外付けのＰＣ（Ｐｅｒｓｏｎａｌ  Ｃｏｍｐｕｔｅｒ）２７０のディスプレイの表示内容に対応する映像情報を静止画または動画として表示面に表示させる。ＧＰＵ２１２は、グラフィクスを専門に扱う半導体チップである。ディスプレイコントローラ２１３は、ＧＰＵ２１２からの出力画像をディスプレイ２８０等へ出力するために画面表示の制御及び管理を行う。接触センサ２１４は、ディスプレイ２８０上に電子ペン２９０やユーザの手Ｈ等が接触したことを検知する。センサコントローラ２１５は、接触センサ２１４の処理を制御する。接触センサ２１４は、赤外線遮断方式による座標の入力及び座標の検出を行う。この座標の入力及び座標の検出する方法は、ディスプレイ２８０の上側両端部に設置された２つ受発光装置が、ディスプレイ２８０に平行して複数の赤外線を放射し、ディスプレイ２８０の周囲に設けられた反射部材によって反射されて、受光素子が放射した光の光路と同一の光路上を戻って来る光を受光する方法である。接触センサ２１４は、物体によって遮断された２つの受発光装置が放射した赤外線のＩＤをセンサコントローラ２１５に出力し、センサコントローラ２１５が、物体の接触位置である座標位置を特定する。電子ペンコントローラ２１６は、電子ペン２９０と通信することで、ディスプレイ２８０へのペン先のタッチやペン尻のタッチの有無を判断する。近距離通信回路２１９は、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等の通信回路である。電源スイッチ２２２は、電子黒板２の電源のＯＮ／ＯＦＦを切り換えるためのスイッチである。選択スイッチ類２２３は、例えば、ディスプレイ２８０の表示の明暗や色合い等を調整するためのスイッチ群である。赤外線リモコン受信回路２２５は、赤外線リモコン２９５から送信された赤外線信号の受信を行う。
【００１９】
更に、電子黒板２は、バスライン２１０を備えている。バスライン２１０は、図２に示されているＣＰＵ２０１等の各構成要素を電気的に接続するためのアドレスバスやデータバス等である。
【００２０】
なお、電子ペンコントローラ２１６が、電子ペン２９０のペン先及びペン尻だけでなく、電子ペン２９０のユーザが握る部分や、その他の電子ペンの部分のタッチの有無を判断するようにしてもよい。
【００２１】
［ビデオ会議端末７］
次に、本実施形態の情報処理装置の一例であるビデオ会議端末７について説明する。
【００２２】
図３は、本実施形態のビデオ会議システム１のビデオ会議端末７のハードウエア構成図である。図３に示されているように、ビデオ会議端末７は、ＣＰＵ７０１、ＲＯＭ７０２、ＲＡＭ７０３、フラッシュメモリ７０４、ＳＳＤ７０５、メディアＩ／Ｆ７０７、操作ボタン７０８、電源スイッチ７０９、バスライン７１０、ネットワークＩ／Ｆ７１１、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）７１２、撮像素子Ｉ／Ｆ７１３、マイク７１４、スピーカ７１５、音入出力Ｉ／Ｆ７１６、ディスプレイＩ／Ｆ７１７、外部機器接続Ｉ／Ｆ７１８、近距離通信回路７１９、近距離通信回路７１９のアンテナ７１９ａ及び赤外線リモコン受信回路７２５を備えている。これらのうち、ＣＰＵ７０１は、ビデオ会議端末７全体の動作を制御する。ＲＯＭ７０２は、ＩＰＬ等のＣＰＵ７０１の駆動に用いられるプログラムを記憶する。ＲＡＭ７０３は、ＣＰＵ７０１のワークエリアとして使用される。フラッシュメモリ７０４は、通信用プログラム、画像データ、及び音データ等の各種データを記憶する。ＳＳＤ７０５は、ＣＰＵ７０１の制御にしたがってフラッシュメモリ７０４に対する各種データの読み出し又は書き込みを制御する。なお、フラッシュメモリに代えてハードディスクを用いてもよい。メディアＩ／Ｆ７０７は、フラッシュメモリ等の記録メディア７０６に対するデータの読み出し又は書き込み（記憶）を制御する。操作ボタン７０８は、ビデオ会議端末７の宛先を選択する場合などに操作されるボタンである。電源スイッチ７０９は、ビデオ会議端末７の電源のＯＮ／ＯＦＦを切り換えるためのスイッチである。
【００２３】
また、ネットワークＩ／Ｆ７１１は、インターネット等の通信ネットワーク１００を利用してデータ通信をするためのインターフェースである。ＣＭＯＳセンサ７１２は、ＣＰＵ７０１の制御に従って被写体を撮像して画像データを得る内蔵型の撮像手段の一種である。なお、ＣＭＯＳセンサではなく、ＣＣＤ（Ｃｈａｒｇｅ  Ｃｏｕｐｌｅｄ  Ｄｅｖｉｃｅ）センサ等の撮像手段であってもよい。撮像素子Ｉ／Ｆ７１３は、ＣＭＯＳセンサ７１２の駆動を制御する回路である。マイク７１４は、音を電気信号に変える内蔵型の回路である。スピーカ７１５は、電気信号を物理振動に変えて音楽や音声などの音を生み出す内蔵型の回路である。音入出力Ｉ／Ｆ７１６は、ＣＰＵ７０１の制御に従ってマイク７１４及びスピーカ７１５との間で音信号の入出力を処理する回路である。ディスプレイＩ／Ｆ７１７は、ＣＰＵ７０１の制御に従って外付けのディスプレイ７２０に画像データを送信する回路である。外部機器接続Ｉ／Ｆ７１８は、各種の外部機器を接続するためのインターフェースである。近距離通信回路７１９は、ＮＦＣやＢｌｕｅｔｏｏｔｈ（登録商標）等の通信回路である。赤外線リモコン受信回路７２５は、赤外線リモコン７９５から送信された赤外線信号の受信を行う。
【００２４】
また、バスライン７１０は、図３に示されているＣＰＵ７０１等の各構成要素を電気的に接続するためのアドレスバスやデータバス等である。
【００２５】
ディスプレイ７２０は、被写体の画像や操作用アイコン等を表示する液晶や有機ＥＬ（Ｅｌｅｃｔｒｏ  Ｌｕｍｉｎｅｓｃｅｎｃｅ）等によって構成された表示手段の一種である。また、ディスプレイ７２０は、ケーブルによってディスプレイＩ／Ｆ７１７に接続される。このケーブルは、アナログＲＧＢ（ＶＧＡ）信号用のケーブルであってもよいし、コンポーネントビデオ用のケーブルであってもよいし、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）やＤＶＩ（Ｄｉｇｉｔａｌ  Ｖｉｄｅｏ  Ｉｎｔｅｒａｃｔｉｖｅ）信号用のケーブルであってもよい。本実施形態のビデオ会議端末７は、ディスプレイ７２０として電子黒板２と接続している。
【００２６】
なお、ＣＭＯＳセンサ７１２は、ＣＰＵ７０１の制御に従って被写体を撮像して画像データを得る内蔵型の撮像手段の一種である。なお、ＣＭＯＳセンサではなく、ＣＣＤセンサ等の撮像手段であってもよい。外部機器接続Ｉ／Ｆ７１８には、ＵＳＢケーブル等によって、外付けカメラ、外付けマイク、及び外付けスピーカ等の外部機器がそれぞれ接続可能である。外付けカメラが接続された場合には、ＣＰＵ７０１の制御に従って、内蔵型のＣＭＯＳセンサ７１２に優先して、外付けカメラが駆動する。同じく、外付けマイクが接続された場合や、外付けスピーカが接続された場合には、ＣＰＵ７０１の制御に従って、それぞれが内蔵型のマイク７１４や内蔵型のスピーカ７１５に優先して、外付けマイクや外付けスピーカが駆動する。
【００２７】
また、記録メディア７０６は、ビデオ会議端末７に対して着脱自在な構成となっている。また、ＣＰＵ７０１の制御にしたがってデータの読み出し又は書き込みを行う不揮発性メモリであれば、フラッシュメモリ７０４に限らず、ＥＥＰＲＯＭ等を用いてもよい。
【００２８】
＜各装置の機能構成＞
図４は、本実施形態のビデオ会議システム１の機能構成図である。
【００２９】
［電子黒板２］
電子黒板２は、制御部２０００と、接触検出部２０１０と、通信部２０２０と、赤外線リモコン受信部２０３０と、映像受信部２０４０と、を備える。
【００３０】
制御部２０００は、電子黒板２の全体の制御を行う。制御部２０００は、電子黒板２のＣＰＵ２０１、ＲＡＭ２０３等により構成される。具体的には、ＲＯＭ２０２、ＳＳＤ２０４等の記憶装置からプログラムをロードし、電子黒板２のアプリケーションプログラムの実行を行う。制御部２０００は、コンピュータとして動作する。
【００３１】
接触検出部２０１０は、使用者が手Ｈ（指）又は電子ペン２９０で、接触センサ２１４の画面に触れた座標を検出する。それにより、電子黒板２の入力インターフェースをして機能する。接触検出部２０１０は、接触センサ２１４とセンサコントローラ２１５により構成される。接触検出部２０１０は、いわゆるタッチセンサである。本実施形態の接触検出部２０１０は、赤外線送信部２０１２と、赤外線受信部２０１４と、を備える。赤外線送信部２０１２から送信した赤外線を赤外線受信部２０１４で受信することにより、接触検出部２０１０は、使用者が手Ｈ（指）又は電子ペン２９０で、接触センサ２１４の画面に触れた座標を検出する。
【００３２】
通信部２０２０は、電子黒板２をイントラネット又はインターネットと接続したり、ＵＳＢ等のインターフェースを用いて他の機器と接続したりする。通信部２０２０は、ネットワークＩ／Ｆ２０５や外部機器接続Ｉ／Ｆ２０６により構成される。
【００３３】
赤外線リモコン受信部２０３０は、赤外線リモコン２９５からの赤外線信号を受信する。赤外線リモコン受信部２０３０は、赤外線リモコン受信回路２２５により構成される。
【００３４】
映像受信部２０４０は、外部端末（ＰＣ等）からの映像を受信する。映像受信部２０４０は、キャプチャデバイス２１１により構成される。例えば、ＨＤＭＩやＶＧＡ、ＤｉｓｐｌａｙＰｏｒｔ等の映像入力端子から映像信号を入力する。本実施形態のビデオ会議システム１においては、ビデオ会議端末７から映像信号を入力する。
【００３５】
［ビデオ会議端末７］
ビデオ会議端末７は、制御部７０００と、通信部７０２０と、赤外線リモコン受信部７０３０と、映像送信部７０４０と、を備える。
【００３６】
制御部７０００は、ビデオ会議端末７の全体の制御を行う。制御部７０００は、ビデオ会議端末７のＣＰＵ７０１、ＲＡＭ７０３等により構成される。具体的には、ＲＯＭ７０２、ＳＳＤ７０４等の記憶装置からプログラムをロードし、ビデオ会議端末７のアプリケーションプログラムの実行を行う。制御部７０００は、コンピュータとして動作する。
【００３７】
制御部７０００は、干渉検出部７００１を備える。干渉検出部７００１は、赤外線リモコン受信部７０３０が、電子黒板２の接触検出部２０１０の赤外線送信部２０１２からの赤外線を受信したかどうかを検出する。
【００３８】
通信部７０２０は、ビデオ会議端末７をイントラネット又はインターネットと接続したり、ＵＳＢ等のインターフェースを用いて他の機器と接続したりする。通信部７０２０は、ネットワークＩ／Ｆ７１１や外部機器接続Ｉ／Ｆ７１８により構成される。
【００３９】
赤外線リモコン受信部７０３０は、赤外線リモコン７９５からの赤外線信号を受信する。赤外線リモコン受信部７０３０は、赤外線リモコン受信回路７２５により構成される。
【００４０】
映像送信部７０４０は、ディスプレイ等の画像表示装置に映像を送信する。映像送信部７０４０は、ディスプレイＩ／Ｆ７１７により構成される。例えば、ＨＤＭＩやＶＧＡ、ＤｉｓｐｌａｙＰｏｒｔ等の映像出力端子から映像信号を出力する。本実施形態のビデオ会議システム１においては、ビデオ会議端末７に映像信号を出力する。
【００４１】
＜ビデオ会議システム１の処理＞
ビデオ会議システム１の処理について説明する。
【００４２】
［ビデオ会議システム１の動作環境］
最初に、ビデオ会議システム１を動作環境について説明する。
【００４３】
本実施形態のビデオ会議システム１の電子黒板２は接触センサ２１４（タッチパネル）における手Ｈや電子ペン２９０の検出に赤外線を利用する。電子黒板２とビデオ会議端末７はそれぞれ赤外線リモコン２９５、７９５に対応し、赤外線リモコン受信回路２２５、７２５をそれぞれの本体に備えている。赤外線リモコン２９５、７９５と接触センサ２１４は、同じ周波数帯域の赤外線を使用している。なお、赤外線リモコン２９５と赤外線リモコン７９５は、同じ周波数帯域の赤外線を使用していることから、赤外線リモコン受信回路２２５、７２５は、双方の赤外線リモコン２９５、７９５の信号を受信可能である。
【００４４】
電子黒板２の赤外線リモコン受信回路２２５は、設計段階で接触センサ２１４の赤外線の影響を受けない位置に配置している。このため、電子黒板２は接触センサ２１４と赤外線リモコン７９５を干渉の影響なく使用できる。
【００４５】
しかし、ビデオ会議端末７は設置位置を任意の場所とすることができる。したがって、ビデオ会議システム１において、電子黒板２とビデオ会議端末７との設置場所によっては、電子黒板２の接触センサ２１４の赤外線の影響を受けて、リモコン動作に支障をきたす場合がある。
【００４６】
図５は、本実施形態のビデオ会議システム１のビデオ会議端末７が受信する赤外線波形を説明する図である。
【００４７】
図５は、ビデオ会議端末７の赤外線リモコン受信回路７２５における電気波形の一例を示す。図５の電気波形は、赤外線リモコン７９５の赤外線信号を、赤外線リモコン受信回路の７２５のフォトダイオードで赤外線から電気信号に変換した後、赤外線リモコン７９５の搬送波を除去した後の波形である。
【００４８】
図５（Ａ）は、電子黒板２の赤外線干渉がなく、赤外線リモコン７９５の信号を受信していない場合の、ビデオ会議端末７の赤外線リモコン受信回路７２５の電気波形である。この場合は、電気波形は一定の電圧レベルを保ったまま時間的に変化しない。
【００４９】
図５（Ｂ）は、電子黒板２の赤外線干渉があり、赤外線リモコン７９５の信号を受信していない場合の、ビデオ会議端末７の赤外線リモコン受信回路７２５の電気波形の一例である。この場合は、電気波形は変動して安定していない。
【００５０】
図５（Ｃ）は、赤外線リモコン７９５が送信する電気波形の一例である。
【００５１】
図５（Ａ）のように波形が安定していれば、図５（Ｃ）の波形を正常に受信することができる。そして、赤外線リモコン７９５によるコマンドを正しく認識することができる。しかし、図５（Ｂ）のように赤外線干渉によって波形が安定していない場合、図５（Ｃ）の波形を正しく受信することができない。そのため、赤外線リモコン７９５によるコマンドを正しく認識できず、赤外線リモコン７９５が効かない、もしくは反応しにくいという現象が発生する。
【００５２】
上記のようなビデオ会議システム１の動作環境、すなわち、電子黒板２とビデオ会議端末７を接続して、同時利用した際に、赤外線リモコン７９５の動作を正常に行うために、本実施形態のビデオ会議システム１は、以下のように処理を行う。
【００５３】
［ビデオ会議システム１の電子黒板２の処理］
ビデオ会議システム１の電子黒板２の処理（制御方法）について説明する。
【００５４】
図６は、本実施形態のビデオ会議システム１の電子黒板２の動作を説明するフローチャートである。電子黒板２は、以下のステップ（手順）に基づいて処理を行う。
【００５５】
（ステップＳ１０）  電子黒板２は、動作を開始すると、電子黒板２の初期化を行う初期化処理を行う。初期化処理において、例えば、制御部２０００等の初期化を行う。
【００５６】
（ステップＳ２０）  電子黒板２の制御部２０００は、ビデオ会議端末７が映像受信部２０４０に接続されているか検出する。ビデオ会議端末７が接続されている場合（ステップＳ２０：ＹＥＳ）は、ステップＳ３０に進む。ビデオ会議端末７が接続されていない場合（ステップＳ２０：ＮＯ）は、ステップＳ８０に進む。
【００５７】
（ステップＳ３０）  電子黒板２の制御部２０００は、ビデオ会議端末７において赤外線干渉があるかを検出する。赤外線干渉がある場合（ステップＳ３０：ＹＥＳ）は、ステップ４０に進む。赤外線干渉がない場合（ステップＳ３０：ＮＯ）は、ステップＳ８０に進む。
【００５８】
ビデオ会議端末７における赤外線干渉の有無については、具体的には、以下のように行う。ビデオ会議端末７は、後述するように、赤外線干渉があるかどうかを検出する。そして、赤外線干渉がある場合は、ビデオ会議端末７は、映像送信部７０４０から送信する映像信号に、予め決めたコマンドで通知したり、ビデオ会議端末７が送信する映像自体に電子黒板２がわかるデータを埋め込んだり、して情報を電子黒板２に送信する。制御部２０００は、映像受信部２０４０が受信した当該情報により、赤外線干渉の有無を判定する。
【００５９】
（ステップＳ４０）  制御部２０００は、ビデオ会議端末７の赤外線リモコン７９５の波形を受信したかどうかを判定する。赤外線リモコン７９５の波形を受信した場合（ステップＳ４０：ＹＥＳ）は、ステップ５０に進む。赤外線リモコン７９５の波形を受信しなかった場合（ステップＳ３０：ＮＯ）は、ステップＳ８０に進む。
【００６０】
（ステップＳ５０）  制御部２０００は、接触検出部２０１０の動作を一時停止する。
【００６１】
（ステップＳ６０）  制御部２０００は、接触検出部２０１０の赤外線送信部２０１２を用いて、ビデオ会議端末７にステップＳ４０で受信した赤外線リモコン７９５の信号（リモコン信号）を送信する。
【００６２】
本実施形態においては、赤外線送信部２０１２が、信号送信部の一例である。
【００６３】
（ステップＳ７０）  制御部２０００は、ステップＳ５０で一時停止させた接触検出部２０１０の動作を再開させる。
【００６４】
ステップＳ６０では、ビデオ会議端末７の赤外線リモコン受信回路７２５に対して干渉源である、電子黒板２の接触センサ２１４から出力される接触検出のための赤外線が送信を停止した状態となる。その状態で赤外線信号が送信されるので、ビデオ会議端末７は正常に赤外線波形を受信できる。また、電子黒板２の接触センサ２１４で使用している赤外線ＬＥＤを用いることで、新たに部品等の追加なしに実現できる。
【００６５】
なお、電子黒板２に筆記中、すなわち接触センサ２１４を使用中に、ビデオ会議端末の赤外線リモコンを受信した場合は、筆記が終了した後にステップＳ５０以降の処理を行うようにしてもよい。それによって、電子黒板２への筆記を妨げないようにすることができる。
【００６６】
（ステップＳ８０）  制御部２０００は、処理を終了するか判定を行う。処理を終了する場合（ステップＳ８０：ＹＥＳ）は、ステップＳ９０に進む。処理を終了しない場合（ステップＳ８０：ＮＯ）は、ステップＳ２０に戻って、ステップＳ２０からの処理を繰り返す。
【００６７】
（ステップＳ９０）  電子黒板２の処理を終了するための処理を行う。
【００６８】
［ビデオ会議システム１のビデオ会議端末７の処理］
次に、ビデオ会議システム１のビデオ会議端末７の処理（制御方法）について説明する。
【００６９】
図７は、本実施形態のビデオ会議システム１のビデオ会議端末７の動作を説明するフローチャートである。ビデオ会議端末７は、以下のステップ（手順）に基づいて処理を行う。
【００７０】
（ステップＳ１１０）  ビデオ会議端末７は、動作を開始すると、ビデオ会議端末７の初期化を行う初期化処理を行う。初期化処理において、例えば、制御部７０００等の初期化を行う。
【００７１】
（ステップＳ１２０）  ビデオ会議端末７の制御部７０００は、電子黒板２が映像送信部７０４０に接続されているか検出する。電子黒板２が接続されている場合（ステップＳ１２０：ＹＥＳ）は、ステップＳ１３０に進む。電子黒板２が接続されていない場合（ステップＳ１２０：ＮＯ）は、ステップＳ１８０に進む。検出方法は、例えばあらかじめ電子黒板２のＩＤ（ｉｄｅｎｔｉｆｉｅｒ）を記憶しておき、読み出したＩＤで判断する方法がある。
【００７２】
（ステップＳ１３０）  ビデオ会議端末７の干渉検出部７００１は、赤外線干渉があるかを検出する。赤外線干渉がある場合（ステップＳ１３０：ＹＥＳ）は、ステップＳ１４０に進む。赤外線干渉がない場合（ステップＳ１３０：ＮＯ）は、ステップＳ１８０に進む。
【００７３】
干渉検出部７００１における検出方法は、図５のように波形から判断する方法が考えられる。例えば、赤外線リモコンからの送信がない想定される際に、赤外線リモコン受信部７０３０における波形が図５（Ａ）のような時間的に変化しない波形の場合は、赤外線干渉がないと判断する。また、赤外線リモコンからの送信がない想定される際に、赤外線リモコン受信部７０３０における波形が図５（Ｂ）のような変動して安定していない波形の場合は、赤外線干渉があると判断する。
【００７４】
（ステップＳ１４０）  制御部７０００は、赤外線干渉があることを通信部７０２０により電子黒板２に通知する。
【００７５】
変形例においては、通信部７０２０が、信号送信部の一例である。
【００７６】
（ステップＳ１８０）  制御部７０００は、処理を終了するか判定を行う。処理を終了する場合（ステップＳ１８０：ＹＥＳ）は、ステップＳ１９０に進む。処理を終了しない場合（ステップＳ１８０：ＮＯ）は、ステップＳ１２０に戻って、ステップＳ１２０からの処理を繰り返す。
【００７７】
（ステップＳ１９０）  ビデオ会議端末７の処理を終了するための処理を行う。
【００７８】
なお、赤外線リモコン受信部２０３０が第１赤外線リモコン受信部の一例である。赤外線リモコン受信部７０３０が第２赤外線リモコン受信部の一例である。赤外線リモコン７９５がリモコン端末の一例である。
【００７９】
＜作用・効果＞
本実施形態のビデオ会議システム１において、ビデオ会議端末７は、干渉源である電子黒板２の接触センサ２１４が、ビデオ会議端末７において赤外線リモコンの信号を受信する際に、一時的に停止される赤外線干渉が起こらない。したがって、赤外線干渉がなくなった状態で、電子黒板からリモコン波形が送信されるので、リモコン波形に対して正しく動作できる。
【００８０】
＜ビデオ会議システム１の変形例＞
図８は、本実施形態のビデオ会議システム１の電子黒板２の動作の変形例を説明するフローチャートである。
【００８１】
本変形例においては、電子黒板２からビデオ会議端末７に赤外線リモコン７９５の信号を送信する際に、通信部２０２０を用いて行う。この場合には、通信部２０２０と通信部７０２０はケーブル等により接続されている。例えば、ＵＳＢにより接続されている。また、映像受信部２０４０と映像送信部７０４０を接続しているケーブル（例えば、ＨＤＭＩケーブル）の制御信号（ＨＤＭＩのＣＥＣ等）を用いるようにしてもよい。このように、ケーブルを介して、赤外線リモコン７９５の信号を送信してもよい。さらには、ローカルエリアネットワークや携帯電話回線等のネットワークも用いてもよい。
【００８２】
ここでは、図６のフローチャートと異なる処理となる部分について説明する。
【００８３】
ステップＳ４０において、赤外線干渉がある場合（ステップＳ３０：ＹＥＳ）は、ステップＳ２６０に進む。
【００８４】
（ステップＳ２６０）  制御部２０００は、通信部２０２０より、ビデオ会議端末７の通信部７０２０に、赤外線リモコン７９５から送信された赤外線信号のコマンドを送信する。
【００８５】
なお、この場合には、赤外線リモコン受信部７０３０の動作を停止してもよい。
【００８６】
＜変形例＞
図６、図７における処理の場合、ビデオ会議端末７、赤外線リモコン７９５の信号と電子黒板２の信号を２重で受信する可能性がある。その場合には、使用者が意図しない動作となる可能性がある。このため、ビデオ会議端末７が電子黒板２と接続した場合、ビデオ会議端末７が反応する赤外線リモコン７９５のエンコード方法を変更しても良い。この場合、変更するエンコード方法はあらかじめ電子黒板２が知っている、もしくは接続時に共有するものとする。
【００８７】
本実施形態のビデオ会議システム１では、電子黒板２と、ビデオ会議端末７を用いている。ただし、ビデオ会議システム１を構成する装置として電子黒板やビデオ会議端末に限らない。電子黒板以外の表示装置やビデオ会議端末以外の情報処理装置を用いてもよい。また、ビデオ会議システムに限らず、表示装置を備えた表示システムであってもよい。
【符号の説明】
【００８８】
１  ビデオ会議システム
２  電子黒板
７  ビデオ会議端末
７９５  赤外線リモコン
２０１０  接触検出部
２０１２  赤外線送信部
２０２０  通信部
２０３０  赤外線リモコン受信部
２０４０  映像受信部
７００１  干渉検出部
７０２０  通信部
７０３０  赤外線リモコン受信部
７０４０  映像送信部
【先行技術文献】
【特許文献】
【００８９】
【特許文献１】特開２０１３−２４６５８７号公報
【図１】
2020198573.tif 000003
【図２】
2020198573.tif 000004
【図３】
2020198573.tif 000005
【図４】
2020198573.tif 000006
【図５】
2020198573.tif 000007
【図６】
2020198573.tif 000008
【図７】
2020198573.tif 000009
【図８】
2020198573.tif 000010